(57)【要約】【課題】  構造強度の点で優れていて、しかも仕上げや組立の観点からも容易に作製できる、枚葉紙処理装置の中で使用するためにある搬送テーブルを提供する。【解決手段】  搬送テーブルは、組込位置で長手方向に、および、枚葉紙の移動経路に対して直交する幅方向に延在され、枚葉紙の移動経路に従って枚葉紙を案内するテーブル上側および枚葉紙の移動経路とは反対のテーブル裏側を有するベース本体と、組込位置でこのベース本体を保持するために形成された保持部とを備え、前記ベース本体は、押出成形部材により少なくとも部分毎に構成されており、これらの押出成形部材が、テーブル上側とテーブル裏側との間で形成される通路を備える。【選択図】  図１
2005320168.tif 000002
【特許請求の範囲】
【請求項１】
組込位置で長手方向に、および、枚葉紙の移動経路に対して直交する幅方向に延在され、枚葉紙の前記移動経路に従って枚葉紙を案内するテーブル上側および枚葉紙の前記移動経路とは反対のテーブル裏側を有するベース本体と、組込位置で前記ベース本体を保持するために形成された保持部とを備え、枚葉紙処理装置で枚葉紙の送りを行う搬送テーブルであって、前記ベース本体は、押出成形部材（１，２，３，４，５）により少なくとも部分毎に構成されており、前記押出成形部材（１，２，３，４，５）が、前記テーブル上側と前記テーブル裏側との間で形成される通路（２３，２４，２５，３１，３２，３４，３５，３６，４４）を備えることを特徴とする搬送テーブル。
【請求項２】
前記押出成形部材（１，２，３）の少なくとも一つが前記ベースの長手型材部分とされ、該長手型材部分の前記通路（２３，２４，２５，４４）が、枚葉紙の前記移動方向に沿って延在されるように、設置されることを特徴とする請求項１に記載の搬送テーブル。
【請求項３】
前記押出成形部材（１，２，３，４，５）が、中空形状とされることを特徴とする請求項１または２に記載の搬送テーブル。
【請求項４】
前記押出成形部材（１，２，３，４，５）が、長手ウェブ（２０，２１，２２）によって分割される複数の長手通路を備えることを特徴とする請求項３に記載の搬送テーブル。
【請求項５】
中空形状とされる前記押出成形部材（１，２，３，４，５）は、枚葉紙の前記移動経路に対して平行、且つ、前記押出成形部材（１，２，３，４，５）の長手方向に対して直交する方向の幅が、枚葉紙の前記移動経路に対して垂直な方向の大きさよりも大きくなるように形成されることを特徴とする請求項１〜４の何れか１項に記載の搬送テーブル。
【請求項６】
前記押出成形部材（３）が備える少なくとも一つの前記通路（２５）を経由して、枚葉紙の前記移動経路と搬送テーブルの前記上側との間に形成される領域へ空気を導出入可能とされることを特徴とする請求項１〜４の何れか１項に記載の搬送テーブル。
【請求項７】
搬送テーブルが、前記押出成形部材に形成された少なくとも一つの前記吸引通路（２５）を備える吸引ベルトテーブル構造とされており、前記吸引通路（２５）を、吸引ベルトの移動通路に隣接して延在させることを特徴とする請求項１〜６の何れか１項に記載の搬送テーブル。
【請求項８】
搬送テーブルが、吸引ベルト案内構造体を備えており、該吸引ベルト案内構造体が、一つの前記押出成形部材（３）によって構成されることを特徴とする請求項７に記載の搬送テーブル。
【請求項９】
前記ベース本体が、複数の前記押出成形部材（１，２，３，４，５）で構成されることを特徴とする請求項１〜８の何れか１項に記載の搬送テーブル。
【請求項１０】
前記ベース本体が、板部材（８）を備えることを特徴とする請求項１〜９の何れか１項に記載の搬送テーブル。
【請求項１１】
前記板部材（８）はサンドイッチ構造とされることを特徴とする請求項１〜１０の何れか１項に記載の搬送テーブル。
【請求項１２】
サンドイッチ構造とされる前記板部材（８）の連結部は、押出成形部材（４３）により形成されることを特徴とする請求項１〜１１の何れか１項に記載の搬送テーブル。
【請求項１３】
前記押出成形部材（１，２，３，４，５）は、前記ベース本体上側に向けて少なくとも部分的に露出されることを特徴とする請求項１〜１２の何れか１項に記載の搬送テーブル。
【請求項１４】
前記押出成形部材（１，２，３）の前記ベース本体上側を形成する領域に、枚葉紙の前記移動方向に延在される溝が形成されることを特徴とする請求項１〜１３の何れか１項に記載の搬送テーブル。
【請求項１５】
前記保持部が、前記押出成形部材によって構成されることを特徴とする請求項１〜１４の何れか１項に記載の搬送テーブル。
【請求項１６】
前記押出成形部材の少なくとも１つは基本型材（１，２，３）とされ、該基本型材（１，２，３）の長手方向の長さを変更させることにより、搬送テーブルの長さを設定可能とすることを特徴とする請求項１〜１５の何れか１項に記載の搬送テーブル。
【請求項１７】
搬送テーブルが横型材（４，５）を備えることを特徴とする請求項１〜１６の何れか１項に記載の搬送テーブル。
【請求項１８】
搬送テーブルが、吸引ベルト駆動装置を連結するための連結部を備えることを特徴とする請求項１〜１７の何れか１項に記載の搬送テーブル。
【請求項１９】
前記吸引ベルト駆動装置は、前記横型材（４，５）に連結されることを特徴とする請求項１〜１８の何れか１項に記載の搬送テーブル。
【請求項２０】
請求項１〜１９の少なくとも１項に記載の搬送テーブルを構成する前記押出成形部材を備える搬送テーブルのモジュール構造システムにおいて、枚葉紙の前記移動方向に対して直交する方向の幅を、前記押出成形部材を前記幅方向に隣接して並べる個数を変更して調整可能としたことを特徴とする搬送テーブルのモジュール構造システム。
【発明の詳細な説明】
【技術分野】
【０００１】
この発明は、枚葉紙処理装置で枚葉紙の送りを行う搬送テーブルに関する。特に、この発明は、枚葉紙処理装置、特に枚葉紙の回転印刷機械の領域にある自動枚葉紙給送機から枚葉紙状を搬送するための吸引ベルト装置を備える吸引ベルトテーブルとも称される搬送テーブルに関する。
【背景技術】
【０００２】
枚葉紙処理装置に枚葉紙を供給するため、これらの枚葉紙は通常積み重ねた枚葉紙の上側から自動枚葉紙給送機で捕捉され、ばらばらにされ、互いにずらされて、枚葉紙の流れとなって出力される。どのような場合においても、枚葉紙をばらばらにした後、枚葉紙を一定の区間にわたり枚葉紙処理装置の設置領域まで送給させることが必要である。通常、枚葉紙は装填量が大きいため鱗状の流れになって枚葉紙処理装置に送給される。しかし、枚葉紙を個別に供給することも可能である。枚葉紙を自動枚葉紙給送機から枚葉紙処理装置へ送給する場合、所謂ベルトテーブルが採用されていて、このベルトテーブルによって、互いに鱗状にずらされている枚葉紙の流れあるいは個別の枚葉紙を確実に案内することができる。この場合、所謂吸引ベルトテーブルは特に有利である。吸引ベルトテーブルは、通常、平坦なベルトに穴が形成されている多数の搬送ベルトを有し、これらのベルトの搬送側面とは反対の内側に負圧がかけられている。そのため、搬送すべき枚葉紙は平坦なベルトで吸引される。吸引ベルトテーブルにより枚葉紙を搬送するため、吸引ベルトは吸引ベルトテーブルの一方の端部に配設されている少なくとも一つのシャフト、所謂第一ベルトローラによって駆動され、第二シャフトもしくはベルトローラにより吸引ベルトテーブルの他方の端部で反転する。上に述べたタイプの搬送テーブルは特許文献１により周知である。
【特許文献１】西独国実用新案第２０２１４９８４号明細書
【０００３】
枚葉紙処理装置で使用されているこの種の搬送テーブルは、通常の運転状態では比較的小さな駆動力を受けているにすぎないが、搬送テーブルは、枚葉紙処理装置の設定変更を行う範囲内で、もしくは整備作業の範囲内で少なくとも一人の操作員によって必要に応じて立ち入ることができるように構成される。
【発明の開示】
【発明が解決しようとする課題】
【０００４】
この発明の課題は、枚葉紙処理装置を運転する範囲内で生じやすい整備作業または設定変更作業に利点をもたらし、構造強度の点で優れていて、しかも仕上げや組立の観点からも容易に作製できる、特に枚葉紙処理装置の中で使用するためにある搬送テーブルを提供することにある。
【課題を解決するための手段】
【０００５】
上記の課題は、この発明によれば、組込位置で長手方向に、および、枚葉紙の移動経路に対して直交する幅方向に延在され、枚葉紙の前記移動経路に従って枚葉紙を案内するテーブル上側および枚葉紙の前記移動経路とは反対のテーブル裏側を有するベース本体と、組込位置で前記ベース本体を保持するために形成された保持部とを備え、前記ベース本体は、押出成形部材により、少なくとも部分毎に構成されており、前記押出成形部材が、前記テーブル上側と前記テーブル裏側との間で形成される通路を備えることを特徴とする、枚葉紙処理装置で枚葉紙の送りを行う搬送テーブルによって解決される。
【発明の効果】
【０００６】
上記の構成により、空気を通す通路を有する搬送テーブルを簡単な方法で提供でき、この搬送テーブルの通路は、搬送テーブルのベース本体を構成する押出成形部材により直接的に形成される。この発明により、必要な場合、従来の搬送テーブルに比べて労力を著しく低減して、大きく折り畳むことができるか、あるいは機械から取り外すことができ、大きな形状であっても簡単に形成されるテーブルを提供することができる。更に、従来の大型の搬送テーブルでこの搬送テーブルを折り畳んだ状態から開くのに今まで必要であったテーブルを移動させる高価な補助手段をなくすこともできる。この発明による解決策により、テーブルに必要な占有空間を低減させることもできる。何故なら、今までテーブルの下側に設けていたシャフトと円管構造体を少なくとも相当省くことができるからである。
【０００７】
この発明の特に有利な実施態様によれば、押出成形部材の少なくとも一つが前記ベースの長手型材部分とされ、この長手型材部分の前記通路が、枚葉紙の前記移動方向に沿って延在されるように、搬送テーブルの組込位置に設置される。この構成により、前記通路に加わる正圧または負圧を長手型材部分の、枚葉紙の移動方向に延在される通路に容易な方法で加えることができる。また、押出成形部材は、長手ウェブによって分割される複数の長手通路を備える中空形状とされることが好ましい。分割されるこれらの長手通路を経由して、テーブル上側にある特定の空気導入区域や空気排出区域（あるいはそれらの小通路）に別々に適当な圧力を加えることができる。更に、これらの長手通路を分割する長手ウェブによって、ベース本体を確実に補強することができる。
【０００８】
中空形状とされる押出成形部材は、枚葉紙の前記移動経路に対して平行、且つ、前記押出成形部材（１，２，３，４，５）の長手方向に対して直交する方向の幅が、枚葉紙の前記移動経路に対して垂直な方向の厚さよりも大きくなるように形成されることが好ましい。互いに横方向に連結している複数の押出成形部材によって、搬送テーブルのベース本体の全体、もしくは少なくともベース本体のほぼ平坦な部分を有利な方法で形成することができる。
【０００９】
この発明の特に好適な実施態様によれば、搬送テーブルは、前記押出成形部材に形成された少なくとも一つの前記吸引通路を備える吸引ベルトテーブル構造とされる。その場合、前記吸引通路を、吸引ベルトの移動経路に隣接して延在させる。押出成形部材によって、吸引ベルトの案内構造体も直接的に構成することができる。吸引ベルトのこの案内構造体は、特に搬送テーブルの枚葉紙接触面の下に対向される前記押出成形部材の長手溝あるいは長手方向の凹部に形成されている。この前記押出成形部材の長手溝には他の長手方向の溝が更に設けてあり、この長手方向の溝によってこの長手溝の中で移動する吸引ベルトに対して、特に有効な移動特性と排気特性を生じさせる。
【００１０】
ベース本体を形成するために利用される前記押出成形部材に加え、このベース本体は、板部材も備える。この板部材は、例えば発泡材料もしくはハニカム材料を有するサンドイッチ構成とすることができる。板部材のカバー層が、板部材の終端縁に接続されるように、この板部材を形成することができる。その場合、これらの板部材の終端縁は、ベース本体を形成するため、押出成形部材により構成され、他の前記押出成形部材に連結されてもよい。この発明の特に好適な実施態様によれば、ベース本体を形成する前記押出成形部材は、少なくとも部分的に前記ベース本体上側に向けて、つまり枚葉紙の移動経路に向けて露出される。ベース本体上側に向けて、つまり枚葉紙の移動経路に向けて露出される領域では、押出成形部材には、溝、特に長手溝が形成され、これらの溝は枚葉紙の移動方向に向けて延在される。この構成により、枚葉紙の搬送に関して有効な移動特性が生じる。
【００１１】
搬送テーブル上側に、セラミック材料、金属、木材あるいはプラスチック材料の摺動層もしくは案内層を設けても良い。搬送テーブルを構成する押出成形部材に、何らかの摺動層または案内装置を容易に形成すると共に、搬送方向に向けて取り付けることのできる構造体、特に長手方向の溝を設けることが好ましい。
【００１２】
枚葉紙処理装置において搬送テーブルを固定するための保持部は、押出成形部材、特に押出成形部材の周縁に形成することにより直接的に実現される。
【００１３】
この発明の特に有利な実施態様によれば、押出成形部材の幅またはその長さを異ならせることにより、搬送テーブルの長さあるいは幅を変更することができる。特に、適当な個数の押出成形部材を隣接して配置すると共に互いに連結させることにより、搬送テーブルの幅を適宜に設定することができる。搬送テーブルの枚葉紙の移動方向に沿う所要長さは、移動方向に沿って延在する押出成形部材の長さを適宜調整することにより達成される。また、搬送テーブルは、枚葉紙の前記移動方向に対して直交する方向に配置される横型材も備える。この横型材は、押出成形部材の端面に適宜連設される一方、押出成形部材の長手通路に空気を導出入可能とできる。更に、横型材により、搬送テーブルの曲げ強度が向上される。
【００１４】
この発明の基礎とする原理によって、搬送テーブル、特に吸引ベルトテーブルに対するモジュール構造システムを有利な方法で提供することができる。このモジュール構造システムは、搬送テーブルを構成する構造体とされ、通路を備えると共に、組込位置で枚葉紙の移動方向に沿って設置される少なくとも一つの押出成形部材に基づくものである。搬送テーブルをモジュール構造とすることにより、搬送テーブルの幅方向に隣接される押出成形部材の個数を適宜変更することにより、枚葉紙の移動方向に対し直交する方向の幅を調整可能とできる搬送テーブルを提供することができる。このモジュール構造システムは、少なくとも一つの基本型材を備える。この基本型材として、吸引ベルト用の移動溝を備えるものがあると好ましい。また、モジュール構造システムとして、搬送テーブルを、枚葉紙処理装置に容易に取り付けることができるように構成された終端縁型材も備えていても良い。吸引ベルト駆動構造体は、必要な幅に形成されているテーブルのベース本体に装着可能とされたモジュールとすることができる。基本型材および終端縁型材は、これらが互いに隣接して容易に連結できるように構成されることが好ましい。
【００１５】
特に、横型材と共に、吸引ベルト駆動装置を搬送テーブルに容易に装着できる連結部を備えることが好適である。吸引ベルト駆動装置を、横型材と一体化させることもできる。このためには、吸引ベルトを駆動させるための駆動シャフトあるいはサーボ駆動ユニットを収容できる通路、特に円形断面の通路を横型材に形成することが好ましい。
【発明を実施するための最良の形態】
【００１６】
この発明の更なる詳細と特徴は、添付図面に関連する以下の説明から明らかになる。
【００１７】
図１は枚葉紙処理装置で枚葉紙の送りを行う際に使用される搬送テーブルの概略構成を示す図である。この搬送テーブルは、組み込み位置で、長手方向に、および、枚葉紙の移動経路に対して直交する幅方向に延在される一つのベース本体を備える。このベース本体は、枚葉紙の移動経路に面し、枚葉紙を通過させるための、テーブル上側と、枚葉紙の移動路とは反対側にある図示されないテーブル裏側とを備える。また、ベース本体は、複数の押出成形部材１，２，３で構成される。その場合、これらの押出成形部材１〜３は、テーブル上側とテーブル裏側との間で複数の通路を備えるように形成される。
【００１８】
これらの押出成形部材１，２，３は、枚葉紙の移動方向ＢＬＲに沿って延在される長手型材部分とされており、この搬送テーブルの組込位置で長手型材部分に通路が構成され、これらの通路は枚葉紙の移動方向ＢＬＲに沿って延在される。
【００１９】
搬送テーブルを形成するために使用され、枚葉紙の移動方向ＢＬＲと平行に配置される押出成形部材１，２，３と、これら押出成形部材１，２，３を端面側で閉塞する横型材４，５とは、中空構造の中空型材として形成されており、この中空部分は、長手ウェブによって、複数の長手方向の通路に分割される。枚葉紙の移動方向ＢＬＲに沿って延在する押出成形部材１，２，３は、枚葉紙の移動経路に対して平行、且つ、押出成形部材１，２，３の長手方向に対して直交する方向の幅が、枚葉紙の移動経路に対して垂直な方向の厚さよりも大きくなるように形成される。押出成形部材１，２，３に形成される通路および横型材４，５に形成される通路を経由して、搬送すべき枚葉紙とテーブル上側との間に生じる中間スペースに、一定の空気を導入すると共に、前記通路を経由して導入した空気を排気させることができる。
【００２０】
ここに図示する実施例では、搬送テーブルが所謂吸引ベルトテーブルとして構成されていて、例示的に二つの吸引ベルト６，７を備える。これらの吸引ベルトは、以下により詳しく説明する図２から分かるように、穴が形成された平坦なベルトとされ、図示しない駆動装置を介して同期して駆動される。
【００２１】
これらの押出成形部材１，２，３は基本型材とされる。その場合、これらの基本型材を適当に横方向に並べて、異なるテーブル幅ｂの搬送テーブルを作製することができる。これらの基本型材を必要に応じて短くすることにより、枚葉紙の移動方向ＢＬＲに測った搬送テーブルの長さＬも必要に応じて適宜設定することができる。これらの押出成形材料部分１，２，３は好ましくは着脱可能とされ、好ましくは横型材４，５により相互に連結される。ここに示す押出成形部材の２つ以上を、図１中のＳにおいてスポット溶接し、相互に連結しても良い。
【００２２】
ここに示す搬送テーブルでは、ベース本体は、押出成形部材１，２，３に加えて、板部材８も備える。この板部材８は、ここではサンドイッチ構造とされており、縁部領域に埋め込まれる長手ビームを介して、ここでは吸引ベルト案内構造体を形成する押出成形部材３に接続される。
【００２３】
２つの吸引ベルト６，７の間にある領域では、枚葉紙の移動方向の上流側に位置する横型材４に、送風または吸引のためのノズル装置９が設けられる。このノズル装置９により、搬送テーブルの上を進む枚葉紙とテーブル上側との間に形成される空気クッションのクッション性を、空気の導入あるいは空気の排出によって調節することができる。すなわち、枚葉紙とテーブル上側との間に形成される隙間領域に一定量の空気を導入することができる、または、当該隙間領域から一定量の空気を排出させることのできる他の貫通開口を板部材８の内部に設けることもできる。
【００２４】
図２は、吸引ベルト６，７が装着される長手型材たる押出成形部材３の好適な実施例の横断面を示す概略図である。押出成形部材３は、微細な長手ウェブ１０により溝が形成される搬送テーブル上側と、吸引ベルト案内溝１１とを備える。この吸引ベルト案内溝１１の内側には、摩擦を低減する材料、例えばテフロン（登録商標）で作製される案内条片１２が収容される。この案内条片１２には、吸引ベルト６を通過して流れる空気を均等に吸引させることのできる複数の長手溝１３，１４，１５，１６が形成される。この押出成形部材３に形成される吸引ベルト案内溝１１の底には、複数の穴１７，１８が形成されており、これらの穴１７，１８を経由して案内条片１２に形成される長手溝１３〜１６は、押出成形部材３に形成される通路と連通される。
【００２５】
図３には、枚葉紙の移動方向ＢＬＲ（図１参照）に延在される長手型材としての押出成形部材を構成するため、この押出成形部材をどのように使用するかについての断面図を示すものである。この押出成形部材は、長手ウェブ２０，２１，２２により分割される複数の通路２３，２４，２５を備える。これらの通路には、図示しない管構造体を経由して所定の空気圧（または負圧）を加えることができる。
【００２６】
長手通路２５は、この実施例の場合、吸引ベルト案内溝１１の直ぐ下に位置されており、この吸引ベルト案内溝１１内を前進される吸引ベルト（図１の６，７参照）に負圧を加えるために形成される。押出成形部材の上側には、既に図２で説明したように、多数の長手ウェブ１０によって溝が形成されており、これらの長手ウェブ１０によりテーブル上側での枚葉紙の移動特性が、より改善される。
【００２７】
押出成形部材３には、図３に示されるように、両方の長手側部領域２６，２７に接続部が形成される。この接続部によって、押出成形部材は、該接続部と係合される溝が形成される隣接する押出成形部材と、正確な位置で連結させることができる。
【００２８】
図４は、押出成形部材３と横型材４とが連結される領域を例示的に示すものである。押出成形部材３の長手ウェブ２１，２２には、端面に突出部分２１ａ（２２）が形成されており、この突出部分２１ａ（２２）には、係止突起部３０を介して横型材４が取り付けられる。横型材４内に形成される通路３１，３２は、横方向の穴３３を経由して押出成形部材３の、通路２１と選択的に連通される。
【００２９】
図５は、模式図に基づき、同じ構造の長手型材Ｐ１を使用して、異なった幅ｂの搬送テーブルを形成する際の様子を示す。つまり、例えば必要とするテーブル幅ｂに合わせて、複数の長手型材Ｐ１を隣り合わせにして接続させる。好ましくは中央に、バランス部材ＳＰを配設し、種々の搬送テーブルの幅ｂを、長手型材Ｐ１を加工しなくても連続的に調整できる。
【００３０】
図６は、テーブルを横に、特に枚葉紙の移動方向ＢＬＲに交差される方向で、長手型材としての押出成形部材の端面側に連設される横型材４の他の変形例の概略図を示すものである。この横型材４には、複数の横通路３４、３５，３６が形成され、これらの横通路は、搬送テーブルの特定の領域に空気を導入するための、または、それらの領域から空気を排出するための空気導出入通路を構成するものである。ここに示す横型材４には、その一の縁部に位置決め部３７が形成されており、この位置決め部３７により、例えば吸引ベルト駆動モジュールを搬送テーブルに取り付けることができる。この位置決め部３７は、他の目的にも利用することができ、特にこの位置決め部により、搬送テーブルを、枚葉紙処理装置に容易に固定できるように形成することができる。
【００３１】
図７は、搬送テーブルを構成する前記板部材８の概略断面を示すものである。この板部材８は、サンドイッチ構造とされており、上部カバー層４０と下部カバー層４１とを備える。この場合、これらカバー層４０，４１の間には、発泡材料またはハニカム材料からなる心材が設けられる。板部材８は、その縁部で押出成形部材４３により仕切られる。この場合、この押出成形部材４３は、上述した２つのカバー層４０，４１の間に収容される。押出成形型材４３には、空気案内通路としての長手通路４４が形成されており、この長手通路を経由して板部材８の一定の領域に空気を供給可能とされる。この空気供給区域は、前記長手通路４４から押出成形型材４３内に設けられる心材４２に向けて貫通される複数の横穴４５によって形成される。また、板部材８の下側に横ビーム部材４７を取り付けても良い。この横ビーム部材４７の内部領域から複数の穴４６を経由して板部材８内の他の領域にも同様に空気を案内することができる。
【００３２】
本発明によれば、搬送テーブル、特に吸引ベルトテーブルを低コストで作製することができる。本発明による搬送テーブルによれば、軽量化と高いテーブル強度を達成することができると共に、標準化された複数の押出成形部材により、搬送テーブルのサイズを広い範囲でカバーできる。また、この押出成形部材により直接的に空気を導入、及び、空気を排出するために設けられた通路をテーブル内に簡単に形成することができる。また、搬送テーブルを、基本型材としての押出成形部材からなる、より好適には、二種類または三種類の基本型材ファミリーから構成することによって、異なった寸法の搬送テーブルを容易に提供することができる。これらの押出成形部材の内部に形成される長手ウェブは、搬送テーブルの強度の向上に寄与すると共に、押出成形部材の内部空間を多数の通路に分割する隔壁板としての機能も有する。また、押出成形部材に形成される長手方向の溝により、枚葉紙の案内特性の観点から有利な表面構造を搬送テーブル上に形成させることができ、材料を除去する、あるいはそれ以外の追加工を必要としない。
【図面の簡単な説明】
【００３３】
【図１】搬送テーブルの第一の実施例を示す概略斜視図である。
【図２】吸引ベルト６，７が装着される長手型材たる押出成形部材３の好適な実施例の横断面を示す概略図である。
【図３】テーブル上側を形成する複数の長手通路を備えた長手型材としての押出成形部材の横断面図である。
【図４】押出成形部材３と横型材４とが連結される領域を例示的に示す横断面図である。
【図５】同じ構造の長手型材Ｐ１を使用して、異なった幅ｂの搬送テーブルを形成する際の様子を示す模式図である。
【図６】枚葉紙の移動方向ＢＬＲに交差される方向で、長手型材としての押出成形部材の端面側に連設される横型材４の他の変形例を示す概略図である。
【図７】搬送テーブルを構成する板部材８の概略断面を示す図である。
【符号の説明】
【００３４】
１，２，３    押出成形部材
４，５    横型部材
６，７    吸引ベルト
８    板部材
９    ノズル装置
１０    長手ウェブ
１１    吸引ベルト案内溝
１２    案内条片
１３，１４，１５，１６    長手溝
１７，１８    穴
ＳＰ    バランス部材
Ｐ１    長手型材
ＢＬＲ    枚葉紙の移動方向
２０，２１，２２    長手ウェブ
２３，２４，２５    長手型材の通路
３０    係止突起部
３１，３２    横型材の通路
３４，３５，３６    横通路
３７    位置決め部
４０    上部カバー層
４１    下部カバー層
４３    板部材８を仕切る押出成形部材
４４    押出成形部材の長手通路
４５    横穴
４６    穴
４７    横ビーム部材
【図１】
2005320168.tif 000003
【図２】
2005320168.tif 000004
【図３】
2005320168.tif 000005
【図４】
2005320168.tif 000006
【図５】
2005320168.tif 000007
【図６】
2005320168.tif 000008
【図７】
2005320168.tif 000009